(57)【特許請求の範囲】
【請求項１】
パチンコ遊技機の上下左右を取囲むようにしてパチンコ遊技機に取付けられた、上下左右の各部材を含んでなる矩形の外周枠と、パチンコ遊技機設置台との固定をなすものであり、遊技機設置台の上面で且つ前記外周枠の後方に固定されるベースと、前方への突出長さを可変として前記ベースから突出されており、突出長さを調節した上でその先端を前記外周枠の下部材と当接させることで前記ベースに対する前記外周枠の相対的な位置決めをなすアジャスタと、前記ベースに取付けられていると共に上下動可能とされており、下位置にある場合には前記下部材の上面を押圧固定すると共に、上位置にある場合にはその固定を解除するようになっている押圧体と、を含んでなるパチンコ遊技機取付け用のクランプを使用する際に用いる補正冶具であって、
前記外周枠の左部材及び右部材の後面に当接させられる基準位置決め面と、
前記基準位置決め面の後方に位置するものであり、前記アジャスタの先端が当接させられるアジャスタ当接面と、
それが外周枠に取付けられた状態であっても、前記クランプを前記遊技機設置台に固定した場合における前記押圧体の上下動を許容する空間を形成する、前方に突出した形状とされている凹部と、
を備えて構成される補正冶具。
【請求項２】
断面略矩形の棒状の部材であり、且つ一直線上に配されている２本の角棒部材と、
前方に突出するように湾曲された湾曲部を備えた棒状の部材であり、且つその両端に前記角棒部材の内側に位置する側の一端が相互に接続されている湾曲部材とを有していると共に、
前記角棒部材の前面が前記基準位置決め面となるようにされ、且つ前記角棒部材の後面が前記アジャスタ当接面となるようにされていると共に、前記湾曲部材の湾曲している部分の内側が前記凹部となるように構成されている、請求項１記載の補正冶具。
【請求項３】
前記湾曲部材を２つ備えてなる、
請求項２記載の補正冶具。
【請求項４】
前記アジャスタの先端を当接させる前記アジャスタ当接面を前記角棒部材の下方に有する当接部材を、前記角棒部材の後面に取付けてなる、
請求項２記載の補正冶具。
【請求項５】
前記当接部材は、前記角棒部材の長さ方向にスライド自在とされてなる、請求項４記載の補正冶具。
【請求項６】
断面略矩形の棒状の部材であり、且つ一直線上に配されている２本の角棒部材と、前方に突出するように湾曲された湾曲部を備えた棒状の部材であり、且つその両端に前記角棒部材の内側に位置する側の一端が相互に接続されている湾曲部材と、その下端を前記遊技機設置台に当接させることで前記角棒部材の上下方向の位置決めをなすものであり、前記角棒部材の後面に取付けられている板状の高さ決め板と、を有していると共に、前記角棒部材の前面が前記基準位置決め面となるようにされ、且つ高さ決め板の後面が前記アジャスタ当接面となるようにされていると共に、前記湾曲部材の湾曲している部分の内側が前記凹部となるように構成されている、請求項１記載の補正冶具。
【発明の詳細な説明】
【０００１】
【発明の属する技術分野】
本発明は、一般に「島」と呼ばれる遊技機設置台にパチンコ遊技機を取り付けるための取付け技術に関する。
【０００２】
【従来の技術】
パチンコ遊技機は、「島」と呼ばれる遊技機設置台ユニット、より詳しくは「島」に設けられた例えば木製の枠体に取付けられ、その状態で用いられる。
パチンコ遊技機はその重量がかなり大であるため、かかる取付けは不慮の転倒等がないようしっかりと行うことが必要である。一方、パチンコ遊技機は流行性が強いという特性を有する。従って、パチンコ遊技機の取付けは、その固定及び解除を簡易に行えるようにすることが必要である。
つまり、パチンコ遊技機の固定は、意図しないときに外れることがなく、且つ意図する場合には簡易に解除を行え、また固定を簡易に行えるようなものとされる必要がある。
【０００３】
一方、パチンコ遊技機では、出玉の調整に関する管理が不可欠である。
出玉の調整の管理は、パチンコ遊技機の盤面に多数立設された釘間隔の調節により一般的には行われる。
しかしながら、他にもパチンコ遊技機における出玉の調節の手法がある。パチンコ遊技機に適度な傾斜を与える手法である。パチンコ遊技機の盤面が水平に近い角度になればなる程、球は釘によくからむようになる。従って、パチンコ遊技機を枠体に取付ける際に適度な傾斜を与えたり、事後的にその調節を行えるようにすることで、釘の調節を行った場合と同様の効果を得られるようになる。
【０００４】
このような考察の上で、本願発明者は、兼ねてから研究を重ねている。
そして、特開平１０−８０５６３号などに開示のパチンコ遊技機取付け用のクランプを考案している。
このクランプは、図４に示した如きものであり、パチンコ遊技機Ｐの上下左右を取囲むようにしてパチンコ遊技機に取付けられた、上下左右の各部材を含んでなる（上部材Ｆｕ、下部材Ｆｄ、左部材及び右部材は図示せず。）矩形に形成の外周枠と、パチンコ遊技機設置台との固定をなすものである。そして、遊技機設置台Ｕｄの上面に例えば木ねじＭによって固定されるベース板７４、ベース本体７５を含むベース７１と、前方への突出長さを可変として前記ベース本体７５から突出されており、突出長さを調節した上でその先端を前記外周枠の下部材Ｆｄと当接させることで前記ベース７１に対する前記外周枠の相対的な位置決めをなすアジャスタ７７と、前記ベース本体７５に取付けられていると共に上下動可能（垂直な移動に限られない。）とされており、下位置にある場合には前記下部材の上面を押圧固定すると共に、上位置にある場合にはその固定を解除するようになっている押圧体７８とを含んでいる。
押圧体７２は、Ｌ字状に形成したフレーム７８の先端にボルト構造の押圧棒７９を組み付けて形成し、そのフレーム７８の基端部をベース本体７５にリンク的に接続して設けられている。
図中７３は、操作レバー７３である。操作レバー７３は、その先端部を押圧体７２のフレーム７８にリンク的に接続すると共に、中間部位をベース本体７５に対しリンク片８１によりリンク的に接続して設ける。
このクランプは、図１に見られる状態でパチンコ遊技機Ｐの下部材Ｆｄを押圧体７２によって島下板Ｕｄとの間で挟圧することにより、パチンコ遊技機Ｐを島下板Ｕｄへ固定する。一方操作レバー７３を矢印Ｘの如く引き上げると押圧体７２が矢印Ｙの如く上がり、上述の固定が解除される。そして、アジャスタボルト７７を回転させ、その突出長さを調節することで、パチンコ遊技機Ｐとベース７１との間隔を調整できる。
尚、図中Ａは、パチンコ遊技機の外周枠とパチンコ遊技機設置用ユニットの上側の部材Ｕｓとの接続をなす取付け装置であり、パチンコ遊技機Ｐを、前後動を可能として部材Ｕｓに固定するものである（尚、この明細書中で用いる、『前後方向』の文言は、『パチンコ遊技機の前後方向と一致する方向』を意味するものとする。）。
【０００５】
このクランプは、上述の条件を満たすものである。
即ち、このクランプでは、押圧体の上下動に基づいてパチンコ遊技機の固定をなすようになっているため、固定を行い、また解除を行うことが容易である。また、押圧体先端の釘を外周枠にめり込ませることでその固定をなすようになっているので、しっかりとした固定が可能であり、意図しないときに固定が解除されることがない。また、アジャスタを備えているので、パチンコ遊技機の下方の位置を適宜に位置決めできるため、パチンコ遊技機に適宜な傾斜を与えることができ、傾斜角の事後的な変更も可能である。
【０００６】
本願発明者考案のクランプは、上述の如き利点を有するものではあるが、使用に際して面倒が生じることがある。
その面倒は、パチンコ遊技機を取り囲む上述した外周枠の形状に基づいて生じる。上述のクランプのアジャスタは、その先端を外周枠の下部材の後面に当接して外周枠（ひいてはパチンコ遊技機）の前後方向での位置決めをなすものとなっている。しかしながら、この外周枠には様々な仕様があるため上述の位置決めを一様に行えない場合がある。
外周枠は、その下部材の形状に様々なバリエーションを持つ。外周枠には、例えば、その下部材の後面が左右の部材の後面と一致しているものと、下部材の後面が左右の部材の後面よりも突出しているものが存在する。このようなバラツキが存在すると、下部材の後面の位置を調節することでアジャスタによる位置決めを行う上述のクランプを用いて外周枠の正確な位置決めが行えなくなってしまう。
【０００７】
【発明が解決しようとする課題】
本発明は、外周枠の形状、特にその下部材の形状を問わずに上述の如きクランプを使用できるようにするための技術を提供することをその課題とする。
【０００８】
【課題を解決するための手段】
本願出願人は、上述の課題を解決するために、以下に説明するような補正冶具を提案する。
本発明の補正冶具は、パチンコ遊技機の上下左右を取囲むようにしてパチンコ遊技機に取付けられた、上下左右の各部材を含んでなる矩形の外周枠と、パチンコ遊技機設置台との固定をなすものであり、遊技機設置台の上面に固定されるベースと、前方への突出長さを可変として前記ベースから突出されており、突出長さを調節した上でその先端を前記外周枠の下部材と当接させることで前記ベースに対する前記外周枠の相対的な位置決めをなすアジャスタと、前記ベースに取付けられていると共に上下動可能とされており、下位置にある場合には前記下部材の上面を押圧固定すると共に、上位置にある場合にはその固定を解除するようになっている押圧体と、を含んでなるパチンコ遊技機取付け用のクランプを使用する際に用いる補正治具である。つまり、上述の特開平１０−８０５６３号に開示されたクランプに用いることは可能であるものの、これ以外のクランプにも適用できるものである。
本発明の補正冶具は、以下のように構成される。
つまり、補正冶具は、外周枠の左部材及び右部材の後面に当接させられる基準位置決め面と、前記基準位置決め面の後方に位置するものであり、前記アジャスタの先端が当接させられるアジャスタ当接面と、それが外周枠に取付けられた状態で、前記クランプを前記遊技機設置台に固定した場合における前記押圧体の上下動を許容する空間を与える凹部と、を備えて構成される。
この補助冶具を外周枠に取付けると、その基準当接面は、外周枠の左部材及び右部材によって位置決めされる。これによって、基準当接面との相対的な位置関係が常に維持されるアジャスタ当接面が、前記外周枠の左部材及び右部材との関係で位置決めされる。
この補助冶具を使用してクランプを用いる場合、クランプのアジャスタは、補助冶具のアジャスタ当接面と当接する。このアジャスタ当接面は、上述のように外周枠の下部材とは無関係に位置決めされるものであり、且つ外周枠の左部材及び右部材との相対的な位置関係を常に共通とするものである。従って、この補助冶具を使用してクランプを用いる場合には、外周枠の左部材及び右部材との相対的な位置関係を常に共通とするアジャスタ当接面にアジャスタ先端が当接することとなるので、下部材の形状に相違があったとしても、外周枠の正確な位置決めを常に行えるようになる。
【０００９】
本発明の補正冶具は、その下端を前記遊技機設置台に当接させることで補正冶具の上下方向の位置決めをなす高さ決め手段を備えるものとすることができる。
このような高さ決め手段を備えていれば、補正冶具の遊技機設置台に対する高さ位置を所定の位置に維持できるようになるため、アジャスタ当接面の位置決めの正確性を増すことができるようになる。
前記高さ決め手段は、その後方に平面部を備えるものとすることができる。そして、この平面部が前記アジャスタ当接面となるようにすることができる。高さ決め手段の一部をアジャスタ当接面として兼用するものである。
【００１０】
本発明による補正冶具は、基準位置決め面と、アジャスタ当接面と、凹部とを備える限り、その具体的な形状については特に制限はない。例えば、凹部は１つではなく２つ以上設けられていても良い。補正冶具は、また、例えば、断面略矩形の棒状の部材であり、且つ一直線上に配されている２本の角棒部材と、前方に突出するように湾曲された湾曲部を備えた棒状の部材であり、且つ前記角棒部材を相互に接続するようにされている湾曲部材とを有するものとすることもできる。この場合、アジャスタの先端を当接させるアジャスタ当接面を前記角棒部材の下方に有する当接部材を、前記角棒部材の後面に取付けたものとすることもできる。ここで、当接部材は、前記角棒部材の長さ方向にスライド自在とされてなるものとすることができる。このようにすることで、押圧体の上下動時に、押圧体と当接面とが干渉しないようにすることができる。
【００１１】
角棒部材や湾曲部材を有する補助冶具に上述の高さ決め手段を設ける場合の例を以下に示す。
例えば、断面略矩形の棒状の部材であり、且つ一直線上に配されている２本の角棒部材と、前方に突出するように湾曲された湾曲部を備えた棒状の部材であり、且つ前記角棒部材を相互に接続するようにされている湾曲部材と、その下端を前記遊技機設置台に当接させることで前記角棒部材の上下方向の位置決めをなすものであり、前記角棒部材の後面に取付けられている板状の高さ決め板と、を有していると共に、前記角棒部材の前面が前記基準位置決め面となるようにされ、且つ高さ決め板の後面が前記アジャスタ当接面となるようにされていると共に、前記湾曲棒の湾曲している部分の内側が前記凹部となるように構成されている、補正冶具である。
【００１２】
【発明の実施の形態】
図面を参照して、本発明による補正冶具の好ましい実施の形態につき説明を行う。
【００１３】
この実施形態における補正冶具Ｊは、図１に示したように構成されている。
この補正冶具Ｊは、両端部にある２つの角棒部材１００と、その内側にある２つの湾曲棒部材２００と、両湾曲棒部材２００の間にある接続部材３００とを含んで構成されている。
【００１４】
角棒部材１００は、断面略矩形の棒状の部材であり、その２本は一直線上に配されている。
湾曲棒部材２００は、断面略矩形の棒状の部材であり、略コの字型に形成され、前方に突出するように湾曲された湾曲部を備えている。
接続部材３００は、前記湾曲棒部材２００を互いに接続している。この実施意形態では、この接続部材３００及び湾曲棒部材２００との組み合わせによって本発明の湾曲部材を構成することとしている。
【００１５】
また、この実施形態における補正冶具Ｊは、その角棒部材１００の一方の後面と、接続部材３００の一端側の後面とに、Ｌ字金具４００を備えている。Ｌ字金具４００は、本発明の当接部材に相当するものである。
この実施形態の補正冶具Ｊでは、角棒部材１００の前面が、本発明における基準位置決め面１０１となっている。
また、この補正冶具Ｊでは、上述のＬ字金具４００の後面が、本発明におけるアジャスタ当接面４０１となる。より詳細に言えば、Ｌ字金具４００は、角棒部材２００から下方に延びているおり、その下方に延びている部分の後面が、アジャスタ当接面４０１となる。
尚、この例のＬ字金具４００には、横長の固定孔４０１が穿設されており、固定ボルト４０２及びＬ字金具の裏側にある図示せぬ固定ナットにより、角棒部材１００の長さ方向の適宜な位置に位置決めした上で、角棒部材１００乃至接続部材３００に固定できるようになっている。このＬ字金具４００は、また、その下端の水平部分を遊技機設置台に当接させることで角棒部材１００、湾曲棒部材２００及び接続部材３００の上下方向での位置決めをもなすことができるようになっている。
尚、補正冶具ＪはＬ字金具４００を必ずしも必要としない。Ｌ字金具４００がない場合には、角棒部材１００の後面が本発明におけるアジャスタ当接面４０１となる。角棒部材２００とは異なるＬ字金具４００などの別部材が必要となるか否かは、クランプＣのアジャスタ７７の形状により決定される。
【００１６】
この補正冶具Ｊでは、各湾曲棒部材２００の湾曲している部分の内側が、本発明でいう凹部２０１となる。この凹部２０１は、クランプを遊技機設置台に固定した場合における押圧体の上下動を許容する空間を与えるものである。詳しくは後で述べる。
【００１７】
この補正冶具Ｊの使用方法について説明する。この補正冶具Ｊの使用状態を図２及び図３に示す。図２及び図３は共に、クランプＣによってパチンコ遊技機Ｐの外周枠Ｆを遊技機設置台の下部材Ｕｄへ取付ける際に、上述の補正冶具Ｊを使用してかかる固定をなす方法を説明するためのものである。図２と図３には殆ど相違がなく、両者に示された補正冶具Ｊも同一であるが、外周枠Ｆの形状に若干の相違がある。
尚、図２、図３で示したクランプＣは、必ずしもそうである必要はないが、本願明細書の従来技術の項目で述べたものと同様のものであるとする。
【００１８】
補正冶具Ｊは、図２の（ａ）（ｂ）に示したような状態で、パチンコ遊技機取付け用の外周枠Ｆに添えて用いる。具体的には、２本の角棒部材１００のそれぞれの前面である基準位置決め面１０１を、外周枠Ｆの右部材Ｆｒと左部材Ｆｌとに当接させると共に、Ｌ字金具４００の下端を遊技機設置台の下部材Ｕｂに当接させる。必要であれば、固定ボルト４０２を緩めて、固定孔４０１に沿ってＬ字金具４００を横方向にスライドさせることにより適宜に位置決めしてから固定ボルト４０２を締付け、Ｌ字金具４００の位置決め固定を行う。
次いで、木ねじＭをベース板７４に螺入させることによって、ベース体７１を遊技機設置台の下部材Ｕｂに固定する。
この状態で、ボルトによって形成されているアジャスタ７７を回転させ、アジャスタ７７を所定の位置に前後動させる。そして、アジャスタ７７の先端をＬ字金具４００の後面であるアジャスタ当接面４０１に当接させて、クランプＣのベース体７１と外周枠Ｆの右部材Ｆｒ及び左部材Ｆｌとの間隔を適宜調整する。
そして、外周枠Ｆを位置決めした状態で、クランプＣの操作レバー７３を操作して、押圧体７２によって外周枠Ｆの下部材Ｆｄの上面を押圧固定する。
操作レバー７３の操作によってこの固定を解除したり、アジャスタ７７の操作によって外周枠Ｆを他の位置に位置決めしたりすることも勿論可能である。押圧体７３の上下動は、凹部２０１の内部で行われる。
【００１９】
次に図３に基づく説明を行う。この例において、補正冶具Ｊは、図３の（ａ）（ｂ）に示したような状態で、パチンコ遊技機取付け用の外周枠Ｆに添えて用いる。補正冶具Ｊ自体は図２に示したものと完全に同一である。
使用方法は、図２で説明したものと共通する。
必要である場合には、Ｌ字金具４００の位置調整を上述のようにして行う。次いで、２本の角棒部材１００のそれぞれの前面である基準位置決め面１０１を、外周枠Ｆの右部材Ｆｒと左部材Ｆｌとに当接させると共に、Ｌ字金具４００の下端を遊技機設置台の下部材Ｕｂの上面に固定する。
そして、木ねじＭをベース板７４に螺入させることによって、ベース体７１を遊技機設置台の下部材Ｕｂに固定する。
この状態で、その操作によりアジャスタ７７を前後動させる。次いで、アジャスタ７７の先端をＬ字金具４００の後面であるアジャスタ当接面４０１に当接させて、クランプＣのベース本体７５と外周枠Ｆの右部材Ｆｒ及び左部材Ｆｌとの間隔を調整する。
そして、外周枠Ｆを位置決めした状態で、クランプＣの操作レバー７３を操作して、押圧体７２によって外周枠Ｆの下部材Ｆｄの上面を押圧固定する。
この固定を解除したり、外周枠Ｆを他の位置に位置決めしたりすることも勿論可能である。押圧体７２の上下動は、凹部２０１の内部で行われる。
【００２０】
図２、図３を見ればわかるように、アジャスタ７７の先端は、下部材Ｆｄの形状の相違（図３の下部材Ｆｄは、右部材Ｆｒ及び左部材Ｆｌよりも後方に突出している。）にも関わらず、外周枠Ｆの右部材Ｆｒ及び左部材Ｆｌに対して同じ位置に位置するようになっている。
【００２１】
【発明の効果】
以上説明したように本発明の補正冶具によれば、外周枠の形状、特にその下部材の形状を問わずに、前方への突出長さを可変として前記ベースから突出されており、突出長さを調節した上でその先端を前記外周枠の下部材と当接させることで前記ベースに対する前記外周枠の相対的な位置決めをなすアジャスタを備えるクランプを使用できるようになる。
【図面の簡単な説明】
【図１】一実施形態による補正冶具の全体を概略で示す斜視図。
【図２】（ａ）は、補正冶具を外周枠に取付けた状態を示す斜視図であり、（ｂ）は補正冶具を外周枠に取付けつつ、クランプで外周枠を固定した状態を示す側面図。
【図３】（ａ）は、補正冶具を外周枠に取付けた状態を示す斜視図であり、（ｂ）は補正冶具を外周枠に取付けつつ、クランプで外周枠を固定した状態を示す側面図。
【図４】クランプにより遊技機設置台に外周枠を固定する場合の従来方法を示す側面図。
【符号の説明】
Ｊ  補正冶具
Ｃ  クランプ
７１  ベース
７２  押圧体
７７  アジャスタ部材
１００  角棒部材
１０１  基準当接面
２００  湾曲棒部材
２０１  凹部
３００  接続部材
４００  Ｌ字金具
４０１  アジャスタ当接面
Ｆ  外周枠
Ｆｕ  下部材
Ｕｓ  遊技機設置台
【図１】
0004570746.tif 000002
【図２】
0004570746.tif 000003
【図３】
0004570746.tif 000004
【図４】
0004570746.tif 000005